(57)【特許請求の範囲】
【請求項１】
処理される原稿のサイズを検出する原稿サイズ検出手段と、処理される原稿のサイズを入力する原稿サイズ入力手段とを備え、通常は原稿サイズ検出手段により原稿のサイズを検出して検出された原稿サイズ情報に基づいて原稿画像データを処理して対応するサイズの記録材に画像形成する画像形成装置において、
上記原稿サイズ入力手段には、原稿のサイズ入力に際して、上記原稿サイズ検出手段により検出した原稿サイズ情報に基づく基準値を設定した上で、増減操作手段により前記基準値からの差分を入力することによって、新たな原稿サイズ情報を選択入力し得る原稿基準値増減手段が設けられていることを特徴とする画像形成装置。
【請求項２】
原稿サイズ検出手段は、原稿のサイズを定形サイズとして検出する一方、
原稿サイズ入力手段は、原稿のサイズを所定の分解能単位で入力し得ることを特徴とする請求項１記載の画像形成装置。
【請求項３】
画像が記録される記録材のサイズを検出する記録材サイズ検出手段と、画像が記録される記録材のサイズを入力する記録材サイズ入力手段とを備え、通常は記録材サイズ検出手段により記録材のサイズを検出して検出された記録材サイズ情報に基づいて画像データを処理して対応するサイズの記録材に画像形成する画像形成装置において、
上記記録材サイズ入力手段には、記録材のサイズ入力に際して、上記記録材サイズ検出手段により検出した記録材サイズ情報に基づく基準値を設定した上で、増減操作手段により前記基準値からの差分を入力することによって、新たな記録材サイズ情報を選択入力し得る記録材基準値増減手段が設けられていることを特徴とする画像形成装置。
【請求項４】
記録材サイズ検出手段は、記録材のサイズを定形サイズとして検出する一方、
記録材サイズ入力手段は、記録材のサイズを所定の分解能単位で入力し得ることを特徴とする請求項３記載の画像形成装置。
【請求項５】
記録材サイズ入力手段は、手差しトレイに載置されている記録材の大きさを入力可能とすることを特徴とする請求項３記載の画像形成装置。
【発明の詳細な説明】
【０００１】
【発明の属する技術分野】
本発明は、処理される原稿のサイズ又は画像が記録される記録材のサイズを検出し、通常は、その検出された原稿サイズ情報又は記録材サイズ情報に基づいて原稿画像データを処理して対応するサイズの記録材に画像形成する一方、必要とする場合には、原稿サイズ情報又は記録材サイズ情報をマニュアル操作にて入力可能な画像形成装置に関するものである。
【０００２】
【従来の技術】
従来、原稿の画像に対して拡大、縮小、移動、リピート等所定の画像処理を施し、所望する画像の形態に処理するデジタル複写機等の画像形成装置が商品化されている。
【０００３】
上記デジタル複写機においては、原稿の画像を拡大、縮小するために、先ず、原稿の大きさを理解する必要がある。
【０００４】
そこで、上述した原稿の画像を拡大、縮小すべく原稿の大きさを理解するために、従来のデジタル複写機には、原稿載置台上にセットされた原稿のサイズを検出する原稿サイズ検出装置が搭載されており、セットされた定形サイズの原稿に限りＡ３、Ｂ４、Ａ４、Ｂ５等のサイズがある程度検出できるようになっている。
【０００５】
そして、この原稿サイズ検出装置により検出された原稿のサイズとデジタル複写機の給紙部から選択給送される記録材のサイズ情報とから変倍率が決定され、原稿画像に対する変倍処理が行われる。
【０００６】
一方、原稿の画像を移動、リピートするためにも原稿の大きさを理解する必要がある。
【０００７】
そこで、原稿の画像を移動、リピートすべく原稿の大きさを理解するために、同様に、デジタル複写機の原稿載置台上にセットされた原稿のサイズを検出する原稿サイズ検出装置が搭載されている。この原稿サイズ検出装置では、セットされた定形原稿のサイズが検出され、この原稿サイズ検出装置により検出された原稿のサイズと、デジタル複写機の給紙部から選択給送される記録材のサイズ情報とから原稿画像の移動量及び形成数（リピート数）等が決定され原稿画像に対する各種処理が行われる。
【０００８】
ここで、上記の原稿サイズ検出装置は、載置台下部に配置された複数のセンサにて原稿載置台上にセットされた原稿を検出し、この時のセンサ出力信号の組み合わせにより定形の原稿サイズを確定するものである。
【０００９】
ところで、原稿には、定形サイズ以外のサイズからなる原稿が数多くある。特に、最近では事務所、事業所等のオフィス環境だけではなく、コンビニエンスストア等のコピーサービスにおいて一般の利用者（ユーザ）を対象としているために、定形サイズ以外のサイズをした各種雑誌、手帳、日用品等が原稿としてデジタル複写機にセットされる機会が増えてきている。
【００１０】
そのために、定形のサイズをした原稿が検出できるように配置された複数のセンサでは、定形外の原稿については正確にサイズが検出できないといった問題を抱えている。その結果、原稿画像の編集が思うようにできないといった問題が発生する。
【００１１】
そこで、特開昭６１−５９３１８号公報に開示されているように、原稿サイズ検出装置と原稿サイズ入力装置とが搭載された変倍複写機が発明されている。
【００１２】
これによって、原稿サイズ検出装置にて自動的に原稿サイズを検出するだけでなく、原稿サイズ入力装置によってマニュアル操作にてユーザが原稿サイズを入力できるようになっている。
【００１３】
【発明が解決しようとする課題】
ところで、上記従来の画像形成装置では、原稿サイズ検出装置と原稿サイズ入力装置との関連がなく、２つ存在する原稿サイズを特定する装置の一方を有効にするだけのものである。
【００１４】
すなわち、原稿サイズ検出装置から原稿サイズ入力装置に切り換えた際、原稿サイズ入力装置では、原稿載置台の近傍に配置された目盛を確認しながら操作者が原稿の大きさを数値にて表し、テンキーにて数値入力するものとなっている。
【００１５】
したがって、このように、原稿サイズ入力装置にて、テンキーを用いて数値を直接入力することは、操作者に煩わしさを感じさせ、操作性が良くないという問題点を有している。
【００１６】
本発明は、上記従来の問題点に鑑みなされたものであって、その目的は、マニュアル操作により原稿のサイズ又は記録材のサイズを入力する際の操作性を向上し得る画像形成装置を提供することにある。
【００１７】
【課題を解決するための手段】
本発明の画像形成装置は、上記課題を解決するために、処理される原稿のサイズを検出する原稿サイズ検出手段と、処理される原稿のサイズを入力する原稿サイズ入力手段とを備え、通常は原稿サイズ検出手段により原稿のサイズを検出して検出された原稿サイズ情報に基づいて原稿画像データを処理して対応するサイズの記録材に画像形成する画像形成装置において、上記原稿サイズ入力手段には、原稿のサイズ入力に際して、上記原稿サイズ検出手段により検出した原稿サイズ情報に基づく基準値を設定した上で、例えばアップキー又はダウンキー等の増減操作手段によりより前記基準値からの差分を入力することによって、新たな原稿サイズ情報を選択入力し得る原稿基準値増減手段が設けられていることを特徴としている。
【００１８】
上記の発明によれば、画像形成装置は、処理される原稿のサイズを検出する原稿サイズ検出手段と、処理される原稿のサイズを入力する原稿サイズ入力手段とを備え、通常は原稿サイズ検出手段により原稿のサイズを検出して検出された原稿サイズ情報に基づいて原稿画像データを処理して対応するサイズの記録材に画像形成する。
【００１９】
したがって、例えば定形外の原稿を画像形成するときには、原稿サイズ入力手段によりマニュアル操作にて原稿のサイズを入力することができる。
【００２０】
ところで、従来の画像形成装置では、マニュアル操作にて原稿サイズを入力する際に、直接数値を入力していたために、操作性が良くないという問題点を有していた。
【００２１】
そこで、本発明では、原稿サイズ入力手段には原稿基準値増減手段が設けられており、この原稿基準値増減手段によって、原稿のサイズ入力に際して、上記原稿サイズ検出手段により検出した原稿サイズ情報に基づく基準値を設定した上で、例えばアップキー又はダウンキー等の増減操作手段により新たな原稿サイズ情報を選択入力し得るようになっている。
【００２２】
すなわち、原稿のサイズ入力に際して、先ず、原稿基準値増減手段によって、原稿サイズ検出手段により検出した原稿サイズ情報に基づいて基準値が設定される。そして、実際に入力するときには、この基準値からの差分だけアップキー又はダウンキーにて新たな原稿サイズ情報を選択入力することにより、原稿サイズを容易に入力操作することができる。
【００２３】
また、この基準値は、原稿サイズ検出手段により検出した原稿サイズ情報に基づいて設定されている。したがって、基準値が、例えば「０：ゼロ」からなる場合には、この「０：ゼロ」からなる基準値を出発として所望の数値までアップキー又はダウンキーにて選択入力しなければならず、このアップキー又はダウンキーを押圧操作する時間が長くなるという操作性の面での問題点が以前として残る。
【００２４】
しかしながら、本発明では、上述したように、原稿サイズ検出手段により検出した原稿サイズ情報、例えば、セットされた原稿サイズに近い定形サイズや、所定のサイズ群に対応するサイズが基準値として予め設定可能であり、この値からシフトすれば良いので、例えばアップキー又はダウンキー等の増減操作手段を操作する時間が短くて済む。
【００２５】
この結果、マニュアル操作により原稿のサイズを入力する際の操作性を向上し得る画像形成装置を提供することができる。
【００２６】
本発明の画像形成装置は、上記課題を解決するために、上記記載の画像形成装置において、原稿サイズ検出手段は、原稿のサイズを定形サイズとして検出する一方、原稿サイズ入力手段は、原稿のサイズを所定の分解能単位で入力し得ることを特徴としている。
【００２７】
上記の発明によれば、原稿サイズ検出手段は、原稿のサイズを定形サイズとして検出する。また、原稿サイズ入力手段は、原稿のサイズを所定の分解能単位で入力し得る。
【００２８】
このため、従来の原稿サイズ検出手段も原稿のサイズを定形サイズとして検出するので、既存の原稿サイズ検出手段を活用することができる。したがって、コストの増大を防止することができる。
【００２９】
また、原稿のサイズを所定の分解能単位で入力することができることによって、例えば、等間隔の目盛りの数値や記号等を活用できるので、さらに操作性を向上することができる。
【００３０】
本発明の画像形成装置は、上記課題を解決するために、画像が記録される記録材のサイズを検出する記録材サイズ検出手段と、画像が記録される記録材のサイズを入力する記録材サイズ入力手段とを備え、通常は記録材サイズ検出手段により記録材のサイズを検出して検出された記録材サイズ情報に基づいて画像データを処理して対応するサイズの記録材に画像形成する画像形成装置において、上記記録材サイズ入力手段には、記録材のサイズ入力に際して、上記記録材サイズ検出手段により検出した記録材サイズ情報に基づく基準値を設定した上で、例えばアップキー又はダウンキー等の増減操作手段により前記基準値からの差分を入力することによって、新たな記録材サイズ情報を選択入力し得る記録材基準値増減手段が設けられていることを特徴としている。
【００３１】
上記の発明によれば、画像形成装置は、画像が記録される記録材のサイズを検出する記録材サイズ検出手段と、画像が記録される記録材のサイズを入力する記録材サイズ入力手段とを備え、通常は記録材サイズ検出手段により記録材のサイズを検出して検出された記録材サイズ情報に基づいて画像データを処理して対応するサイズの記録材に画像形成する。
【００３２】
したがって、例えば定形外の記録材を用いて画像形成するときには、記録材サイズ入力手段によりマニュアル操作にて記録材のサイズを入力することができる。
【００３３】
ところで、マニュアル操作にて記録材サイズを入力する際に、直接数値を入力したのでは、操作性が良くない。
【００３４】
そこで、本発明では、記録材サイズ入力手段には記録材基準値増減手段が設けられており、この記録材基準値増減手段によって、記録材のサイズ入力に際して、上記記録材サイズ検出手段により検出した記録材サイズ情報に基づく基準値を設定した上で、例えばアップキー又はダウンキー等の増減操作手段により新たな記録材サイズ情報を選択入力し得るようになっている。
【００３５】
すなわち、記録材のサイズ入力に際して、先ず、記録材基準値増減手段によって、記録材サイズ検出手段により検出した記録材サイズ情報に基づいて基準値が設定される。そして、実際に入力するときには、この基準値からの差分だけ例えばアップキー又はダウンキーにて新たな記録材サイズ情報を選択入力することにより、記録材サイズを容易に入力操作することができる。
【００３６】
また、この基準値は、記録材サイズ検出手段により検出した記録材サイズ情報に基づいて設定されている。したがって、基準値が、例えば「０：ゼロ」からなる場合には、この「０：ゼロ」からなる基準値を出発として所望の数値まで例えばアップキー又はダウンキーにて選択入力しなければならず、このアップキー又はダウンキーを押圧操作する時間が長くなるという操作性の面での問題点が以前として残る。
【００３７】
しかしながら、本発明では、上述したように、記録材サイズ検出手段により検出した記録材サイズ情報、例えば、セットされた記録材サイズに近い定形サイズや所定のサイズ群に対応するサイズが基準値として予め設定可能であり、この値からシフトすれば良いので、例えばアップキー又はダウンキー等の増減操作手段を操作する時間が短くて済む。
【００３８】
この結果、マニュアル操作により記録材のサイズを入力する際の操作性を向上し得る画像形成装置を提供することができる。
【００３９】
本発明の画像形成装置は、上記課題を解決するために、上記記載の画像形成装置において、記録材サイズ検出手段は、記録材のサイズを定形サイズとして検出する一方、記録材サイズ入力手段は、記録材のサイズを所定の分解能単位で入力し得ることを特徴としている。
【００４０】
上記の発明によれば、記録材サイズ検出手段は、記録材のサイズを定形サイズとして検出する。また、記録材サイズ入力手段は、記録材のサイズを所定の分解能単位で入力し得る。
【００４１】
このため、従来の記録材サイズ検出手段も記録材のサイズを定形サイズとして検出するので、既存の記録材サイズ検出手段を活用することができる。したがって、コストの増大を防止することができる。
【００４２】
また、記録材のサイズを所定の分解能単位で入力することができることによって、例えば、等間隔の目盛りの数値や記号等を活用できるので、さらに操作性を向上することができる。
【００４３】
本発明の画像形成装置は、上記課題を解決するために、上記記載の画像形成装置において、記録材サイズ入力手段は、手差しトレイに載置されている記録材の大きさを入力可能とすることを特徴としている。
【００４４】
上記の発明によれば、記録材サイズ入力手段は、手差しトレイに載置されている記録材の大きさを入力可能とする。
【００４５】
このため、容易に記録材を載置交換することができる手差しトレイに載置される記録材の大きさを入力可能とすることによって、活用の頻度が多く、利用度が高まる。
【００４６】
【発明の実施の形態】
〔実施の形態１〕
本発明の実施の一形態について図１ないし図８に基づいて説明すれば、以下の通りである。なお、本実施の形態においては、例えばデジタル複写機等の画像形成装置について説明する。また、デジタル複写機の複写機能については、公知の技術であり、その説明を省略する。
【００４７】
本実施の形態のデジタル複写機は、原稿載置台（ガラス台）上の所定の位置にセットされた原稿のサイズを自動的に検出する原稿サイズ検出手段としての原稿サイズ検出装置を有している。
【００４８】
この原稿サイズ検出装置は、図１に示すように、原稿載置台１の下部に光学センサ２…を複数配設したものである。この光学センサ２…の配置位置は、原稿台１に載置されるそれぞれの大きさの原稿の右端部に対応しており、複数の光学センサ２…の内で原稿を検知した最大の光学センサ２の位置に対応した原稿サイズを載置した原稿のサイズとしている。
【００４９】
そして、上記原稿サイズ検出装置によって検出された原稿サイズと入力された変換倍率とに基づいて用紙サイズが選択されるか、又は、原稿サイズ検出装置によって検出された原稿サイズと入力された用紙サイズとに基づいて変換倍率が演算されて選択されるようになっている。
【００５０】
ところで、例えば、同図に示すように、原稿台１に不定形原稿３が載置された場合には、この不定形原稿３の右端部がＢ５Ｒセンサ２ａとＡ４縦センサ２ｂとの中間に位置する。
【００５１】
このとき、Ａ４縦センサ２ｂが原稿を検知し、Ｂ５Ｒセンサ２ａは原稿を検出できない。このため、原稿サイズ検出装置は、載置された原稿のサイズがＡ４縦であると検出し、操作者により設定された変換倍率又は用紙サイズに基づき変換複写動作を行う。
【００５２】
その結果、不定形原稿３の露光走査方向の長さは、実際にはＡ４サイズよりも大きいため、上記動作により複写作業を行うと、記録材としての用紙から画像がはみ出し、ミスコピーを生じてしまう。
【００５３】
そこで、本実施の形態では、原稿サイズ検出装置にて自動的に原稿サイズを検出するだけでなく、操作者が望む場合には、操作パネルの後述する表示部３０によってマニュアル操作にて操作者が原稿サイズを入力できるようになっている。
【００５４】
しかも、本実施の形態のデジタル複写機では、原稿サイズ検出装置により検出した原稿サイズ情報を基に基準値を設定した上で新たな原稿サイズ情報を入力可能とすることによって、操作者がマニュアル操作により原稿のサイズを入力する際の操作性を向上し得るようになっている。
【００５５】
上記原稿サイズを入力し得る本実施の形態のデジタル複写機における操作パネルについて説明する。
【００５６】
すなわち、デジタル複写機における操作パネルは、図２に示すように、透明タブレットが表面に配置された表示部３０と、その表示部３０の近傍に配置された複数の操作キー群から構成されている。
【００５７】
上記表示部３０は、後述するように、種々の画面が切換えて表示される。そして、その種々の画面中では、各画面におけるそれぞれの条件を設定するタッチキーが配置されており、そのタッチキーを指で直接押圧操作して、各種の条件設定が可能となっている。
【００５８】
また、上記表示部３０の近傍に設けられる複数の操作キー群としては、同図に示すように、先ず、表示部３０の左側に機能選択部１０が設けられている。この機能選択部１０には、ファックス機能キー１１、プリンタ機能キー１２、コピー機能キー１３が設けられており、これらを切り換えることにより、ファックス、プリンタ及びコピーの３機能の動作を行うことができるものとなっている。
【００５９】
一方、表示部３０の右側には、テンキー２１、スタートキー２２、クリアキー２３、全解除キー２４及び割込キー２５が配置されている。
【００６０】
上記テンキー２１は表示部３０における表示画面の案内指示に対して数値を入力するのに使用するキーであり、スタートキー２２は複写動作の開始を指示するためのキーである。また、クリアキー２３は表示部３０に表示される設定値をクリアしたり複写動作の中断を行うキーであり、全解除キー２４は複写条件の設定をデフォルト値に戻すためのキーである。さらに、割込キー２５は実行中の複写を一時中断して他の複写を許容するためのキーである。
【００６１】
上記のデジタル複写機においては、原稿載置台１上の基準位置に端部を合わせてセットされた原稿は、複写機本体に搭載された前記原稿サイズ検出装置により自動的に原稿のサイズが検出され、図３に示すように、操作パネルの表示部３０に表示されている基本画面３１の略右上に、例えば「Ａ４」等の原稿サイズとして表示される。なお、本実施の形態においては、原稿が定形であるか否かに関わらず、原稿サイズ検出装置が検出した原稿サイズが、後述するように、特殊サイズ入力指示画面３４に表示されるようになっている。
【００６２】
上記操作パネルの表示部３０における表示画面は、図３〜図７に示すように、順次遷移表示され、原稿又は記録紙の特殊サイズ情報が操作者のマニュアル操作により入力指示されるようになっている。
【００６３】
その手順について、図３〜図７までの表示画面の遷移に従って説明する。
【００６４】
先ず、図３に示すように、操作パネルの表示部３０には、デジタル複写機をＯＮしたときの最初の画面である前述の基本画面３１が表示される。
【００６５】
この基本画面３１において、表示部３０の左上近傍に配置された特別機能キー４１を押圧操作すると、上記表示部３０の表示画面が、図４に示すように、特別機能選択画面３２に遷移する。そして、この特別機能選択画面３２上にリスト表示された特別機能の中から画像編集メニューキー４２を押圧操作すると、図５に示すように、上記表示部３０の表示画面が画像編集選択画面３３へと遷移する。
【００６６】
次に、この画像編集選択画面３３上にリスト表示された画像編集機能の中から特殊サイズキー４３を押圧操作することによって、図６に示すように、原稿又は記録紙の特殊サイズに対応するための、操作者のマニュアル操作による原稿サイズ入力手段としての特殊サイズ入力指示画面３４へと到達する。なお、この時の特殊サイズ入力指示画面３４は、原稿の特殊サイズを入力する操作画面となっており、記録紙の特殊サイズを入力する操作画面については実施の形態２にて説明する。
【００６７】
ここで、例えば、横長さ（Ｘ方向）が２４０ｍｍで縦長さ（Ｙ方向）が２６０ｍｍの原稿を読み込んだとする。
【００６８】
このとき、特殊サイズ入力指示画面３４においては、画面略中央に、前述したように、複写機本体に搭載された原稿サイズ検出装置により検出されている原稿サイズに適合したＸ方向とＹ方向の数値が基準値（開始点）として事前に表示されている。すなわち、今の場合には、Ａ４サイズの原稿として検出されるので、図８に示すように、Ａ４サイズの原稿に対してはＸ：２１０ｍｍ、Ｙ：２９７ｍｍが基準寸法として対応し、その結果、特殊サイズ入力指示画面３４においては、これらＸ：２１０ｍｍ（図示しない）とＹ：２９７ｍｍとが事前に表示される。
【００６９】
そして、この基準値（開始点）から実際の原稿サイズを画面略右側中央に配置された増減操作手段としてのアップキー４４又はダウンキー４５の押圧操作によりｍｍ単位の入力指示を行う。
【００７０】
入力に際しては、先ず、同図に示すように、上記の特殊サイズ入力指示画面３４においては、この特殊サイズ入力指示画面３４を表示させたときに、画面略中央のＸ方向の原稿サイズ入力モードを指示する原稿基準値増減手段としてのＸキー４６が最初から点灯して選択された状態となっている。したがって、このＸ方向の原稿サイズをアップキー４４又はダウンキー４５の押圧操作して上記の基準値である前述のＸ：２１０ｍｍを開始点として変更のための入力指示をする。
【００７１】
これにより、今の例の場合、同図に示すように、アップキー４４を押圧操作することによってＸ：２４０ｍｍまで変化させることができる。
【００７２】
一方、Ｙ方向の原稿サイズを入力指示する場合には、画面略中央の原稿基準値増減手段としてのＹキー４７を押圧操作することによって、Ｘ方向の原稿サイズを入力するモードからＹ方向の原稿サイズを入力するモードヘと切り換え、Ｘ方向と同じように、アップキー４４又はダウンキー４５を押圧操作して、基準値（ここではＹ：２９７ｍｍ）を開始点として変更のための入力指示ができるようになる。今の例においては、ダウンキー４５を押圧操作することにより、上記Ｙ：２９７ｍｍからＹ：２６０ｍｍまで変化させることになる。
【００７３】
これにより、デジタル複写機の原稿載置台１上にセットされた原稿が特殊サイズである場合のサイズ入力指示が完了となり、特殊サイズ入力指示画面３４の略右上に設けられたＯＫキー４８を押圧操作することによって、特殊原稿サイズのＸ方向とＹ方向の入力指示が確定する。
【００７４】
ここで、上記ＯＫキー４８が押圧操作されて特殊原稿のサイズ入力が確定されると、特殊サイズ入力指示画面３４から１つ戻った図５に示す画像編集選択画面３３へ遷移するとともに、さらに戻って基本画面３１へと遷移した際には、基本画面３１の略右上側に表示される原稿サイズ情報表示部４９は、デジタル複写機に搭載されている原稿サイズ検出装置によって検出されている原稿サイズ情報（ここではＡ４サイズ）ではなく、特殊サイズの原稿であることを示す、図示しない例えば「特殊」が表示されるようになっている。
【００７５】
なお、図６に示すように、特殊サイズ入力指示画面３４の表示画面略左下側には、デジタル複写機に搭載されている原稿サイズ検出装置によって自動的に検出された原稿サイズ情報（ここではＡ４）を有効にする復帰のためのサイズ検知有効キー５０が設けられている。
【００７６】
したがって、このサイズ検知有効キー５０を押圧操作すると、図７に示すように、特殊サイズ入力画面３５へと遷移して特殊サイズ入力指示画面３４の略中央に表示されている原稿のＸ方向と、Ｙ方向のサイズ情報はクリアされる。
【００７７】
最後に、この遷移する各表示画面３１〜３５の略右上側には、それぞれ閉じるキー６０が設けられており、各閉じるキー６０を押圧操作することによって、特別機能選択モードを解除して表示画面を基本画面３１へと順次復帰できるものとなっている。また、各表示画面３４・３５の略右上側に設けられた設定解除キー６１は、特殊サイズ入力モードを解除して各種画像編集モードを選択する表示画面３３へと復帰するためのものである。さらに、図５に示すように、各種画像編集モードを選択する表示画面３３の略右上側に設けられた閉じるキー６１を押圧操作すると１つ前の特別機能選択画面３２へと遷移するようになっている。
【００７８】
なお、上記の説明ではｍｍ単位の入力指示を行うように説明しているが、必ずしもこれに限らず、例えば等間隔の目盛の数値や記号等の所定の分解能単位で入力するようにすることも可能である。
【００７９】
次に、本実施の形態のデジタル複写機が検出することのできる原稿のサイズは前記図８に示す一覧にて示される。したがって、デジタル複写機として検出されたサイズ毎のＸ方向及びＹ方向の原稿サイズ情報を基に、特殊サイズキー４３を押圧操作した際に、基準値（開始点）として特殊サイズ入力指示画面３４上のＸキー４６及びＹキー４７の横に表示させるようになっている。
【００８０】
なお、今回の説明では、Ｘ方向とＹ方向の基準値（開始点）を、定形サイズとして検出されたサイズ情報に基づいて、それぞれのサイズにおける実際の長さを設定しているが、必ずしもこれに限らず、小サイズ群と大サイズ群とに分類して、そのサイズ群にあった所定の数値をＸ方向とＹ方向の基準値（開始点）として最初に表示するようにしても良い。
【００８１】
以上のステップにより、入力指示された原稿のサイズ情報に基づいて、原稿サイズに応じた原稿画像の読み取り処理から画像情報に基づく画像の記録処理を行うこととなる。
【００８２】
この結果、特殊な原稿のサイズをマニュアルにて入力する際、装置として自動検出しているサイズ情報を基に基準値（開始点）を設定し、その基準値（開始点）から特殊原稿のサイズを入力（調整）することができるので、操作者の入力（調整）完了までの時間が短縮できる。特に、アップキー４４又はダウンキー４５による調整を行う場合に、「０：ゼロ」からサイズを数値入力するのではなく、ある程度装置として分かっている地点（数値）からの調整入力となって、キーの短時間の押圧操作のみで目的のサイズ（数値）を入力指示することが可能となる。
【００８３】
このように、本実施の形態のデジタル複写機は、処理される原稿のサイズを検出する原稿サイズ検出装置と、処理される原稿のサイズを入力する特殊サイズ入力指示画面３４とを備え、通常つまり定形の原稿の場合は、原稿サイズ検出装置により原稿のサイズを検出して検出された原稿サイズ情報に基づいて原稿画像データを処理して対応するサイズの用紙に画像形成する。
【００８４】
したがって、例えば定形外の原稿を画像形成するときには、特殊サイズ入力指示画面３４によりマニュアル操作にて原稿のサイズを入力することができる。
【００８５】
ところで、従来のデジタル複写機では、マニュアル操作にて原稿サイズを入力する際に、直接数値を入力していたために、操作性が良くないという問題点を有していた。
【００８６】
そこで、本実施の形態では、特殊サイズ入力指示画面３４にはＸキー４６及びＹキー４７が設けられており、このＸキー４６及びＹキー４７によって、原稿のサイズ入力に際して、上記原稿サイズ検出装置により検出した原稿サイズ情報に基づく基準値を設定した上で、アップキー４４又はダウンキー４５により新たな原稿サイズ情報を選択入力し得るようになっている。
【００８７】
すなわち、原稿のサイズ入力に際して、先ず、Ｘキー４６及びＹキー４７によって、原稿サイズ検出装置により検出した原稿サイズ情報に基づいて基準値が設定される。そして、実際に入力するときには、この基準値からの差分だけアップキー４４又はダウンキー４５により新たな原稿サイズ情報を選択入力することにより、原稿サイズを容易に入力操作することができる。
【００８８】
また、この基準値は、原稿サイズ検出装置により検出した原稿サイズ情報に基づいて設定されている。したがって、基準値が、例えば「０：ゼロ」からなる場合には、この「０：ゼロ」からなる基準値を出発として所望の数値までアップキー４４又はダウンキー４５にて選択入力しなければならず、このアップキー４４又はダウンキー４５を押圧操作する時間が長くなるという操作性の面での問題点が以前として残る。
【００８９】
しかしながら、本実施の形態では、上述したように、原稿サイズ検出装置により検出した原稿サイズ情報、例えば、セットされた原稿サイズに近い定形サイズや、所定のサイズ群に対応するサイズが基準値として予め設定可能であり、この値からシフトすれば良いので、アップキー４４又はダウンキー４５を押圧操作する時間が短くて済む。
【００９０】
この結果、マニュアル操作により原稿のサイズを入力する際の操作性を向上し得るデジタル複写機を提供することができる。
【００９１】
また、本実施の形態のデジタル複写機では、原稿サイズ検出装置は、原稿のサイズを定形サイズとして検出する。また、特殊サイズ入力指示画面３４は、原稿のサイズを所定の分解能単位で入力し得る。
【００９２】
このため、従来の原稿サイズ検出装置も原稿のサイズを定形サイズとして検出するので、既存の原稿サイズ検出装置を活用することができる。したがって、コストの増大を防止することができる。
【００９３】
また、原稿のサイズを所定の分解能単位で入力することができることによって、例えば、等間隔の目盛りの数値や記号等を活用できるので、さらに操作性を向上することができる。
【００９４】
また、本実施の形態では、特殊サイズ入力指示画面３４には、復帰手段であるサイズ検知有効キー５０が設けられているので、特殊サイズの原稿のサイズの入力から標準状態つまり原稿サイズ検出装置にて検出した用紙サイズの表示に戻りたいときには、このサイズ検知有効キー５０を押圧操作することによって、直ちに、復帰することができる。
【００９５】
このため、利便性の向上を図ったものとなっている。
【００９６】
なお、本発明は、上記の実施の形態に限定されるものではなく、本発明の範囲内で種々の変更が可能である。例えば、上記実施の形態では、増減操作手段はアップキー４４又はダウンキー４５にてなっているが、特にこれに限定するものではなく、例えば、他のボリュームやダイヤル又はレバー等の数値を増減できるよりものとすることが可能である。
【００９７】
〔実施の形態２〕
本発明の他の実施の形態について図９及び図１０に基づいて説明すれば、以下の通りである。なお、説明の便宜上、前記の実施の形態１の図面に示した部材と同一の機能を有する部材については、同一の符号を付し、その説明を省略する。
【００９８】
また、前記実施の形態１で述べた各種の特徴点については、本実施の形態についても組み合わせて適用し得るものとする。
【００９９】
本実施の形態におけるデジタル複写機では、手差し用紙トレイにセットされた記録紙としての用紙のサイズ情報を入力指示する画面の操作について説明する。
【０１００】
すなわち、図示しない用紙カセットに収納されている用紙は定形であるので、用紙サイズが問題となることはないが、手差し用紙トレイにセットされる用紙は、操作者が任意に決めるので、その用紙に応じて複写する必要がある。したがって、本実施の形態では、この手差し用紙トレイにセットされる用紙の用紙サイズをマニュアル入力する場合について説明する。
【０１０１】
先ず、本実施の形態のデジタル複写機には、図示しない用紙サイズ検出装置が設けられており、手差し用紙トレイに載置された定形の用紙に対して、その用紙サイズが認識できるようになっている。
【０１０２】
すなわち、手差し用紙トレイには、用紙をセットしたときに、用紙の側端を規制する案内ガイドが設けられており、この案内ガイドにおける手差し用紙トレイ上での規制位置応じて、手差し用紙トレイにセットされた定形の用紙の幅方向のサイズを検出できるようになっている。
【０１０３】
また、用紙の送り方向の長さについては、図示しない用紙センサにより、用紙の長さ方向の用紙サイズの検出が行われる。すなわち、デジタル複写機の装置本体の内部には、図示しない用紙センサが用紙搬送路に設けられているので、この用紙搬送路を通る用紙に対して、用紙センサにて検出し始めてから検出し終わるまでの経過時間によって、送り方向の用紙サイズを検出できるようになっている。
【０１０４】
この結果、上記手差し用紙トレイにおける案内ガイドと上記用紙センサとによって、記録材サイズ検出手段としての用紙サイズ検出装置が構成されている。
【０１０５】
次に、本実施の形態においては、通常の場合つまり定形の用紙の場合には、上記用紙サイズ検出装置にて、用紙サイズが決定されるが、定形外の用紙については、操作者が任意に設定できるようになっている。
【０１０６】
上記の用紙サイズの入力画面は、以下のようにして表示することができる。
【０１０７】
先ず、前記図３に示すように、操作パネルの表示部３０に基本画面３１が表示されるので、この基本画面３１において、表示部３０の左上近傍に配置された特別機能キー４１を押圧操作すると、表示部３０の表示画面が、図４に示すように、特別機能選択画面３２に遷移する。そして、この特別機能選択画面３２上にリスト表示された特別機能の中から画像編集メニューキー４２を押圧操作すると、図５に示すように、表示部３０の表示画面が画像編集選択画面３３へと遷移する。
【０１０８】
さらに、この画像編集選択画面３３上にリスト表示された画像編集機能の中から特殊サイズキー４３を押圧操作することによって、前記実施の形態１にて説明した図６に示すように、原稿の特殊サイズに対応するための、操作者のマニュアル操作による特殊サイズ入力指示画面３４へと到達する。
【０１０９】
ここで、この時の特殊サイズ入力指示画面３４は、原稿の特殊サイズを入力する操作画面となっているが、この特殊サイズ入力指示画面３４において、下部の手差し用紙サイズ５１のタグ部分を押圧操作すると、図９に示すように、記録材サイズ入力手段としての手差し用特殊サイズ入力指示画面３６へと表示画面が遷移する。
【０１１０】
本実施の形態では、この表示画面においては、デジタル複写機に搭載されている用紙サイズ検出装置が現在検出している用紙サイズを基準値（開始点）としてＸ方向とＹ方向の数値が事前に表示される。例えば、用紙がＢ５サイズであると検出された場合には、同図に示すにように、Ｘ：１８２ｍｍ、Ｙ：２５７ｍｍと表示される。
【０１１１】
そして、用紙サイズがこれと異なる場合には、この基準値（開始点）から実際の用紙サイズを画面略右側中央に配置された増減操作手段としてのアップキー５２又はダウンキー５３の押圧操作によりｍｍ単位の入力指示を行う。
【０１１２】
この手差し用特殊サイズ入力指示画面３６は、最初画面略中央のＸ方向の用紙サイズ入力モードを指示する記録材基準値増減手段としてのＸキー５４が選択された状態となっており、Ｘ方向の用紙サイズをアップキー５２又はダウンキー５３を押圧操作することによって基準値（ここではＸ：１８２ｍｍ）を開始点として変更入力指示できるようになっている。
【０１１３】
一方、Ｙ方向の用紙サイズを変更すべく入力指示する場合には、画面略中央の記録材基準値増減手段としてのＹキー５５を押圧操作することによって、Ｘ方向の用紙サイズを入力するモードからＹ方向の用紙サイズを入力するモードヘと切り換え、Ｘ方向と同じようにアップキー５２又はダウンキー５３を押圧操作して、基準値（ここではＹ：２５７ｍｍ）を開始点として入力指示できるようになる。
【０１１４】
これにより、デジタル複写機の手差し用紙トレイ上にセットされた用紙が特殊サイズである場合のサイズ入力指示が完了となり、手差し用特殊サイズ入力指示画面３６の略右上に設けられたＯＫキー５６を押圧操作することによって、特殊用紙サイズのＸ方向とＹ方向との入力指示が確定する。
【０１１５】
ここで、ＯＫキー５６が押圧操作されて特殊用紙のサイズ入力が確定されると、手差し用特殊サイズ入力指示画面３６から１つ戻った図５に示す画像編集選択画面３３へ遷移すると共に、さらに戻って基本画面３１へと遷移した際には、図３に示す基本画面３１の略右上側に表示される手差し用紙サイズ情報部５７は、デジタル複写機に搭載されている手差しトレイにおける用紙サイズ検出装置により検出されている用紙サイズ情報（ここではＢ５サイズ）ではなく、特殊サイズの用紙であることが、図示しない例えば「特殊」と表示される。
【０１１６】
さらに、基本画面３１及び特別機能選択画面３２において、画面略中央下側に表示される、デジタル複写機が給紙可能なトレイとして選択しているところの用紙サイズ情報５８・５８も手差しトレイからの給紙を可能とすると共に、この手差し給紙トレイにセットされている用紙サイズ情報も「特殊」として表示する。
【０１１７】
なお、「特殊」だけではなく、Ｘ方向とＹ方向のサイズ情報（ｍｍ単位で入力指示された数値情報）を表示することも可能である。
【０１１８】
ところで、図９に示すように、上記手差し用特殊サイズ入力指示画面３６の表示画面略左下側には、装置に搭載されている手差し用紙サイズ検出装置により自動的に検出された用紙サイズ情報（ここではＢ５）を有効にする復帰のためのサイズ検知有効キー５９が設けられている。
【０１１９】
したがって、このサイズ検知有効キー５９を押圧操作すると、図１０に示すように、手差し用紙特殊サイズ入力画面３７へと遷移して、手差し用特殊サイズ入力指示画面３６の略中央に表示されている手差し用紙のＸ方向と、Ｙ方向のサイズ情報はクリアされる。
【０１２０】
また、本実施の形態においても、各表示画面３６・３７の略右上側に設けられた閉じるキー６０は、特別機能選択モードを解除して表示画面を基本画面３１へと復帰するためのものとなっている。さらに、各表示画面３６・３７の略右上側に設けられた設定解除キー６１は、特殊サイズ入力モードを解除して各種画像編集モードを選択する表示画面３３へと復帰するためのものである。
【０１２１】
なお、上記の説明ではｍｍ単位の入力指示を行うように説明しているが、必ずしもこれに限らず、例えば、等間隔の目盛の数値や記号等の所定の分解能単位で入力するようにすることも可能である。
【０１２２】
また、本実施の形態においても、デジタル複写機として検出することのできる用紙のサイズの一覧は、前記図８に示すように、デジタル複写機として検出されたサイズ毎のＸ方向、及びＹ方向のサイズ情報を基に、特殊サイズキー４３を押圧操作した際に、基準値（開始点）として手差し用特殊サイズ入力指示画面３６上に表示させるようになっている。
【０１２３】
なお、今回の説明では、Ｘ方向とＹ方向の基準値（開始点）を、定形サイズとして検出されたサイズ情報に基づいて、それぞれのサイズにおける実際の長さを設定しているが、必ずしもこれに限らず、小サイズ群と大サイズ群とに分類して、そのサイズ群にあった所定の数値をＸ方向とＹ方向の基準値（開始点）として最初に表示するようにしても良い。
【０１２４】
以上のステップにより、用紙のサイズ情報に基づいて、用紙サイズに応じた原稿画像の読み取り処理から画像情報に基づく画像の記録処理を行うこととなる。
【０１２５】
この結果、特殊な用紙のサイズをマニュアルにて入力する際、デジタル複写機として自動検出している用紙のサイズ情報を基に基準値（開始点）を設定し、その基準値（開始点）から特殊な記録材のサイズを入力（調整）することができるので、操作者の入力（調整）完了までの時間が短縮できる。特に、アップキー５２又はダウンキー５３による調整を行う場合に、「０：ゼロ」からサイズを数値入力するのではなく、ある程度装置として分かっている地点（数値）からの調整入力となってアップキー５２又はダウンキー５３の短時間の押圧操作のみで目的のサイズ（数値）を入力指示することが可能となる。
【０１２６】
また、頻繁に用紙の交換及びセットが行われるとともに、デジタル複写機として最も不定形サイズの用紙がセットされる可能性がある手差しトレイにおいて、特殊なサイズの用紙の大きさを入力指示できるように対応することで、原稿画像を的確に利用者が所望する状態で、用紙に対して記録処理することが可能となる。
【０１２７】
このように、本実施の形態のデジタル複写機は、画像が記録される用紙のサイズを検出する用紙サイズ検出装置と、画像が記録される記録材のサイズを入力する手差し用特殊サイズ入力指示画面３６とを備え、通常は用紙サイズ検出装置により用紙のサイズを検出して検出された用紙サイズ情報に基づいて画像データを処理して対応するサイズの用紙に画像形成する。
【０１２８】
したがって、例えば定形外の用紙を用いて画像形成するときには、手差し用特殊サイズ入力指示画面３６によりマニュアル操作にて用紙のサイズを入力することができる。
【０１２９】
ところで、マニュアル操作にて用紙サイズを入力する際に、直接数値を入力したのでは、操作性が良くない。
【０１３０】
そこで、本実施の形態では、手差し用特殊サイズ入力指示画面３６にはＸキー５４及びＹキー５５が設けられており、このＸキー５４及びＹキー５５によって、用紙のサイズ入力に際して、上記用紙サイズ検出装置により検出した用紙サイズ情報に基づく基準値を設定した上で、アップキー５２又はダウンキー５３により新たな用紙サイズ情報を選択入力し得るようになっている。
【０１３１】
すなわち、用紙のサイズ入力に際して、先ず、Ｘキー５４及びＹキー５５によって、用紙サイズ検出装置により検出した用紙サイズ情報に基づいて基準値が設定される。そして、実際に入力するときには、この基準値からの差分だけアップキー５２又はダウンキー５３にて新たな用紙サイズ情報を選択入力することにより、用紙サイズを容易に入力操作することができる。
【０１３２】
また、この基準値は、用紙サイズ検出装置により検出した用紙サイズ情報に基づいて設定されている。したがって、基準値が、例えば「０：ゼロ」からなる場合には、この「０：ゼロ」からなる基準値を出発として所望の数値までアップキー５２又はダウンキー５３にて選択入力しなければならず、このアップキー５２又はダウンキー５３を押圧操作する時間が長くなるという操作性の面での問題点が以前として残る。
【０１３３】
しかしながら、本実施の形態では、上述したように、用紙サイズ検出装置により検出した記録材サイズ情報、例えば、セットされた記録材サイズに近い定形サイズや所定のサイズ群に対応するサイズが基準値として予め設定可能であり、この値からシフトすれば良いので、アップキー５２又はダウンキー５３を押圧操作する時間が短くて済む。
【０１３４】
この結果、マニュアル操作により用紙のサイズを入力する際の操作性を向上し得るデジタル複写機を提供することができる。
【０１３５】
また、本実施の形態のデジタル複写機では、用紙サイズ検出装置は、用紙のサイズを定形サイズとして検出する。また、手差し用特殊サイズ入力指示画面３６は、用紙のサイズを所定の分解能単位で入力し得る。
【０１３６】
このため、従来の用紙サイズ検出装置も用紙のサイズを定形サイズとして検出するので、既存の用紙サイズ検出装置を活用することができる。したがって、コストの増大を防止することができる。
【０１３７】
また、用紙のサイズを所定の分解能単位で入力することができることによって、例えば、等間隔の目盛りの数値や記号等を活用できるので、さらに操作性を向上することができる。
【０１３８】
また、本実施の形態のデジタル複写機では、手差し用特殊サイズ入力指示画面３６は、手差しトレイに載置されている用紙の大きさを入力可能とする。
【０１３９】
このため、容易に記録材を載置交換することができる手差しトレイに載置される用紙の大きさを入力可能とすることによって、活用の頻度が多く、利用度が高まる。
【０１４０】
また、本実施の形態では、手差し用特殊サイズ入力指示画面３６には、復帰手段であるサイズ検知有効キー５９が設けられているので、特殊サイズの用紙のサイズの入力から標準状態つまり用紙サイズ検出装置にて検出した用紙サイズの表示に戻りたいときには、このサイズ検知有効キー５９を押圧操作することによって、直ちに、復帰することができる。
【０１４１】
このため、利便性の向上を図ったものとなっている。
【０１４２】
【発明の効果】
本発明の画像形成装置は、以上のように、原稿サイズ入力手段には、原稿のサイズ入力に際して、上記原稿サイズ検出手段により検出した原稿サイズ情報に基づく基準値を設定した上で、増減操作手段により前記基準値からの差分を入力することによって、新たな原稿サイズ情報を選択入力し得る原稿基準値増減手段が設けられているものである。
【０１４３】
それゆえ、原稿のサイズ入力に際して、先ず、原稿基準値増減手段によって、原稿サイズ検出手段により検出した原稿サイズ情報に基づいて基準値が設定される。そして、実際に入力するときには、この基準値からの差分だけ増減操作手段にて新たな原稿サイズ情報を選択入力することにより、原稿サイズを容易に入力操作することができる。
【０１４４】
また、原稿サイズ検出手段により検出した原稿サイズ情報、例えば、セットされた原稿サイズに近い定形サイズや、所定のサイズ群に対応するサイズが基準値として予め設定可能であり、この値からシフトすれば良いので、増減操作手段を操作する時間が短くて済む。
【０１４５】
この結果、マニュアル操作により原稿のサイズを入力する際の操作性を向上し得る画像形成装置を提供することができるという効果を奏する。
【０１４６】
本発明の画像形成装置は、以上のように、上記記載の画像形成装置において、原稿サイズ検出手段は、原稿のサイズを定形サイズとして検出する一方、原稿サイズ入力手段は、原稿のサイズを所定の分解能単位で入力し得るものである。
【０１４７】
それゆえ、従来の原稿サイズ検出手段も原稿のサイズを定形サイズとして検出するので、既存の原稿サイズ検出手段を活用することができる。したがって、コストの増大を防止することができるという効果を奏する。
【０１４８】
また、原稿のサイズを所定の分解能単位で入力することができることによって、例えば、等間隔の目盛りの数値や記号等を活用できるので、さらに操作性を向上することができるという効果を奏する。
【０１４９】
本発明の画像形成装置は、以上のように、記録材サイズ入力手段には、記録材のサイズ入力に際して、上記記録材サイズ検出手段により検出した記録材サイズ情報に基づく基準値を設定した上で、増減操作手段により前記基準値からの差分を入力することによって、新たな記録材サイズ情報を選択入力し得る記録材基準値増減手段が設けられているものである。
【０１５０】
それゆえ、記録材のサイズ入力に際して、先ず、記録材基準値増減手段によって、記録材サイズ検出手段により検出した記録材サイズ情報に基づいて基準値が設定される。そして、実際に入力するときには、この基準値からの差分だけ増減操作手段にて新たな記録材サイズ情報を選択入力することにより、記録材サイズを容易に入力操作することができる。
【０１５１】
また、記録材サイズ検出手段により検出した記録材サイズ情報、例えば、セットされた記録材サイズに近い定形サイズや所定のサイズ群に対応するサイズが予め基準値として設定可能であり、この値からシフトすれば良いので、増減操作手段を操作する時間が短くて済む。
【０１５２】
この結果、マニュアル操作により記録材のサイズを入力する際の操作性を向上し得る画像形成装置を提供することができるという効果を奏する。
【０１５３】
本発明の画像形成装置は、以上のように、上記記載の画像形成装置において、記録材サイズ検出手段は、記録材のサイズを定形サイズとして検出する一方、記録材サイズ入力手段は、記録材のサイズを所定の分解能単位で入力し得るものである。
【０１５４】
それゆえ、従来の記録材サイズ検出手段も原稿のサイズを定形サイズとして検出するので、既存の記録材サイズ検出手段を活用することができる。したがって、コストの増大を防止することができるという効果を奏する。
【０１５５】
また、記録材のサイズを所定の分解能単位で入力することができることによって、例えば、等間隔の目盛りの数値や記号等を活用できるので、さらに操作性を向上することができるという効果を奏する。
【０１５６】
本発明の画像形成装置は、以上のように、上記記載の画像形成装置において、記録材サイズ入力手段は、手差しトレイに載置されている記録材の大きさを入力可能とするものである。
【０１５７】
それゆえ、容易に記録材を載置交換することができる手差しトレイに載置される記録材の大きさを入力可能とすることによって、活用の頻度が多く、利用度が高まるという効果を奏する。
【図面の簡単な説明】
【図１】本発明におけるデジタル複写機の実施の一形態を示すものであり、デジタル複写機における原稿サイズ検出装置を示す平面図である。
【図２】上記デジタル複写機における操作パネルを示す平面図である。
【図３】上記デジタル複写機の操作パネルにおける表示部の基本画面を示す平面図である。
【図４】上記操作パネルにおける表示部の特別機能選択画面を示す平面図である。
【図５】上記操作パネルにおける表示部の画像編集選択画面を示す平面図である。
【図６】上記操作パネルにおける表示部にて特殊原稿の原稿サイズを入力するための特殊サイズ入力画面を示す平面図である。
【図７】上記操作パネルにおける表示部にて特殊サイズの原稿における用紙サイズを入力するための特殊サイズ入力指示画面を示す平面図である。
【図８】上記デジタル複写機として検出することができる原稿又は用紙のサイズの一覧を示す説明図である。
【図９】本発明におけるデジタル複写機の他の実施の形態を示すものであり、操作パネルにおける表示部にて手差し用紙サイズを入力するための特殊サイズ入力指示画面を示す平面図である。
【図１０】上記操作パネルにおける表示部にて特殊サイズの手差し用紙における用紙サイズを入力するための特殊サイズ入力画面を示す平面図である。
【符号の説明】
１    原稿載置台
２    光学センサ〔原稿サイズ検出装置〕（原稿サイズ検出手段）
３    不定形原稿
３２    基本画面
３３    特別機能選択画面
３４    特殊サイズ入力指示画面（原稿サイズ入力手段）
３５    特殊サイズ入力画面
３６    特殊サイズ入力指示画面（記録材サイズ入力手段）
３７    特殊サイズ入力画面
４４    アップキー（増減操作手段）
４５    ダウンキー（増減操作手段）
４６    Ｘキー（原稿基準値増減手段、
４７    Ｙキー（原稿基準値増減手段）
５２    アップキー（増減操作手段）
５４    ダウンキー（増減操作手段）
５４    Ｘキー（記録材基準値増減手段）
５５    Ｙキー（記録材基準値増減手段）
【図１】
0003868717.tif 000002
【図２】
0003868717.tif 000003
【図３】
0003868717.tif 000004
【図４】
0003868717.tif 000005
【図５】
0003868717.tif 000006
【図６】
0003868717.tif 000007
【図７】
0003868717.tif 000008
【図８】
0003868717.tif 000009
【図９】
0003868717.tif 000010
【図１０】
0003868717.tif 000011